(57)【特許請求の範囲】
【請求項１】
成形用金型で成形されたリング状樹脂部品であって、
前記成形用金型によって形成されたキャビティにより成形されたリング状の本体部と、
前記本体部から当該本体部の軸方向に延在して前記リング状樹脂部品の一部を構成し、前記キャビティ内に溶融樹脂を絞って注入するためのフィルムゲートにより前記本体部の一端面に全周にわたって延在するように成形されたリブ状のフィルムゲート部分と、
前記フィルムゲート部分から前記本体部とは反対側の軸方向に延在して前記リング状樹脂部品の一部を構成し、前記フィルムゲートから前記キャビティ内に注入される溶融樹脂が充填されるゲートランドにより成形され、前記フィルムゲート部分に沿って全周にわたって設けられ、当該フィルムゲート部分よりも厚肉のゲートランド部分と
を含み、
前記本体部と前記フィルムゲート部分と前記ゲートランド部分の各内周面を、中心軸に沿って延びる貫通穴にて構成したことを特徴とするリング状樹脂部品。
【請求項２】
前記本体部は、ギヤが形成される素形部分を外周面に有することを特徴とする請求項１に記載のリング状樹脂部品。
【請求項３】
前記ゲートランド部分に、組み付けするシャフトと係止する係止部が形成されていることを特徴とする請求項１に記載のリング状樹脂部品。
【請求項４】
前記成形用金型の前記ゲートランドに接続される当該成形用金型のピンゲートから当該ゲートランドおよび前記フィルムゲートを通って当該成形用金型の前記キャビティ内に溶融樹脂が注入されることで成形されることを特徴とする請求項１ないし３のいずれか１項に記載のリング状樹脂部品。
【発明の詳細な説明】
【技術分野】
【０００１】
本発明は、キャビティに溶融樹脂を注入して成形品を成形するための成形用金型で成形されたリング状樹脂部品に関するものである。
【背景技術】
【０００２】
例えば画像形成装置における駆動系（動力伝達系）の一部を、金属製歯車の代わりにプラスチック歯車で構成して、低騒音化、軽量化及びコスト低減化などを図る場合がある。このようなプラスチック製品は、一般的に、加熱溶融した樹脂材（溶融樹脂）を金型のキャビティ内に射出注入した後に冷却して固化させる射出成形により製造される。
【０００３】
ここで、溶融樹脂をキャビティに射出注入するために金型に設けるゲートには、いろいろな種類がある。例えば、ピンゲート（ピンポイントゲート）は、複数個取りができ、また、ゲート部が自動的に切断されるので、ゲート後処理が容易という点で優れている。すなわち、射出成形後に金型を開く動作でゲート部が引きちぎられ、ゲートと成形品が分離されるので、後工程で切断する手間を省くことができる。ピンゲートのゲート径を小さくすればするほどゲート部が引きちぎれ易くなる。
【０００４】
ところが、ピンゲートのゲート径を小さくすると流路抵抗が増すため、ゲートを複数個所に設ける必要がある。複数個所にピンゲートを設けた場合には、各ピンゲートから注入された溶融樹脂が互いに接近する方向に流動し、その後それらの流頭同士がキャビティ内で衝突するため、当該キャビティ内で得られる樹脂製品に、溶融樹脂が合流した合わせ目で筋状に見えるウェルドマーク（以下、ウェルドラインともいう）が発生することがある。ウェルドマークが発生すると、樹脂製品の外観上好ましくないだけでなく、ウェルドマークの発生位置の曲げ強度や衝撃強度が、ウェルドマークの発生していない部分に比して低下するといった不都合や、樹脂製品の部品精度にばらつきが生じてしまうといった不都合もある。とりわけ、プラスチック歯車等の駆動部品については、ギヤ精度が出ず、求められる真円度のレベルに達することが困難であると考えられる。
【０００５】
そこで、高い精度が求められる樹脂製品例えばＣＤ（コンパクトディスク）を製造する技術として、射出成形用金型の円盤形状中心部に設けたゲートから円盤状キャビティ内に樹脂を流して製造するダイレクトフィルムゲートを用いる方法が開示されている（例えば、特許文献１参照）。この方法によれば、成形後には樹脂部品の中央をカットパンチで打ち抜いてゲートカットを行って製品となる。
【０００６】
【特許文献１】特開平９−１６４５６４号公報（第３〜４頁、図１〜図４）
【発明の開示】
【発明が解決しようとする課題】
【０００７】
上述したダイレクトフィルムゲートは、残留ひずみを抑えて変形を防止するために有効であり、この技術をプラスチック歯車等の駆動部品に適用すると、ウェルドマークの発生を防止しつつ、高い精度の製品を製造することができる。
しかしながら、駆動部品の内径穴についてゲートバリを取り除く処理を要し、かつ、１回の射出成形で複数個を成形するいわゆる複数個取りができない等によって生産コストが高くなるといった欠点がある。
【０００８】
本発明は、以上のような技術的課題を解決するためになされたものであり、その目的とするところは、ウェルドマーク発生の抑制、高精度の確保及び低コストを実現可能なリング状樹脂部品を提供することにある。
【課題を解決するための手段】
【００１０】
かかる目的のもと、本発明が適用されるリング状樹脂部品は、成形用金型で成形されたリング状樹脂部品であって、前記成形用金型によって形成されたキャビティにより成形されたリング状の本体部と、前記本体部から当該本体部の軸方向に延在して前記リング状樹脂部品の一部を構成し、前記キャビティ内に溶融樹脂を絞って注入するためのフィルムゲートにより前記本体部の一端面に全周にわたって延在するように成形されたリブ状のフィルムゲート部分と、前記フィルムゲート部分から前記本体部とは反対側の軸方向に延在して前記リング状樹脂部品の一部を構成し、前記フィルムゲートから前記キャビティ内に注入される溶融樹脂が充填されるゲートランドにより成形され、前記フィルムゲート部分に沿って全周にわたって設けられ、当該フィルムゲート部分よりも厚肉のゲートランド部分とを含み、前記本体部と前記フィルムゲート部分と前記ゲートランド部分の各内周面を、中心軸に沿って延びる貫通穴にて構成したことを特徴とするものである。このようにすると、部品の強度を高めることができる。また、このような貫通穴にすると、後加工しなくてもシャフトに嵌合させることができる。
また、本体部は、ギヤが形成される素形部分を外周面に有することを特徴とすることができる。また、ゲートランド部分に、組み付けするシャフトと係止する係止部が形成されていることを特徴とすることができる。
また、前記成形用金型の前記ゲートランドに接続される当該成形用金型のピンゲートから当該ゲートランドおよび前記フィルムゲートを通って当該成形用金型の前記キャビティ内に溶融樹脂が注入されることで成形されることを特徴とすることができる。
【発明の効果】
【００１２】
本発明によれば、成形用金型において例えば複数個取りすることが可能となり、ウェルドマーク発生の抑制、高精度の確保及び低コストを実現することができるので、成形品の高い品質を維持しつつコストの低減を実現することができる。
【発明を実施するための最良の形態】
【００１３】
以下、添付図面を参照して、本発明の実施の形態について詳細に説明する。本実施の形態では、画像形成装置の感光体ドラム駆動機構７０におけるウォームギヤ７２（７２Ｙ，７２Ｍ，７２Ｃ，７２Ｋ）に適用した場合を説明する。
まず、感光体ドラム駆動機構７０について説明する。
図１は、本実施の形態が適用される感光体ドラム駆動機構７０を説明するための図である。画像形成装置としてのタンデム型のデジタルカラープリンタは、各色の階調データに対応して画像形成を行う複数の画像形成ユニットを備えている。各画像形成ユニットには、トナー像を担持させる像担持体としての感光体ドラムがそれぞれ設けられている。各感光体ドラムは、互いに並列となるように配置されており、すべての感光体ドラムを同じ回転速度で回転駆動させるために、各感光体ドラムの駆動軸７１を統一し、単一の駆動源により各感光体ドラムを駆動するように構成されている。
【００１４】
図１に示すように、本実施の形態が適用される感光体ドラム駆動機構７０は、画像形成装置本体の背面側に設けられており、構成部材として、各感光体ドラムの回転時の軸となる各ドラム回転軸６１（６１Ｙ，６１Ｍ，６１Ｃ，６１Ｋ）に対して直交する方向に、剛性を確保するための金属材料で形成される１本の駆動軸７１が設けられている。この駆動軸７１には、各感光体ドラムに対向する位置に、樹脂材料で形成され、螺旋状のネジ山を有する４個のウォームギヤ７２（７２Ｙ，７２Ｍ，７２Ｃ，７２Ｋ）が取り付けられている。金属材料からなる駆動軸７１としては、例えば、低炭素鋼であるＳＵＭ（硫黄快削鋼）やＳＵＳ（ステンレス鋼）が用いられる。また、ウォームギヤ７２（７２Ｙ，７２Ｍ，７２Ｃ，７２Ｋ）は、樹脂材料としては、熱可塑性樹脂が好ましく、例えば、ポリアセタール（ＰＯＭ）やポリブチレンテレフタレート（ＰＢＴ）、スーパーエンプラポリフェニレンサルファイド（ＰＰＳ）等、およびこれらの複合材等を含めることができる。ウォームギヤ７２（７２Ｙ，７２Ｍ，７２Ｃ，７２Ｋ）に対向して、各感光体ドラムの各ドラム回転軸６１（６１Ｙ，６１Ｍ，６１Ｃ，６１Ｋ）にはウォームホイール６２（６２Ｙ，６２Ｍ，６２Ｃ，６２Ｋ）（ヘリカルギヤ）が取り付けられる。この各ウォームギヤ７２（７２Ｙ，７２Ｍ，７２Ｃ，７２Ｋ）と各ウォームホイール６２（６２Ｙ，６２Ｍ，６２Ｃ，６２Ｋ）とを噛み合わせることで、駆動軸７１の回動によって、全てのドラム回転軸６１（６１Ｙ，６１Ｍ，６１Ｃ，６１Ｋ）を同時に回動させることができる。
【００１５】
また、感光体ドラム駆動機構７０は、各感光体ドラムを駆動するための共通の駆動源（単一駆動源）である駆動モータ７３と、駆動モータ７３に駆動連結され、駆動モータ７３からの駆動力を駆動軸７１に伝達するギヤ類７４と、少なくとも２点から駆動軸７１を支える軸受け７５とを備えている。また、駆動軸７１の回転ムラを抑制した状態で駆動軸７１を保持するための球体７６と、この球体７６の落下を防止した状態にて本体１等のフレーム（図示せず）に固定される球体受け板７７とが、駆動軸７１の両端に設けられている。
【００１６】
今、駆動モータ７３が駆動すると、ギヤ類７４を介して、軸受け７５に支えられている駆動軸７１が回転する。この駆動軸７１の回転により、駆動軸７１に固定されている４つの樹脂製ウォームギヤ７２（７２Ｙ，７２Ｍ，７２Ｃ，７２Ｋ）が同方向に同時に回転する。この４つのウォームギヤ７２（７２Ｙ，７２Ｍ，７２Ｃ，７２Ｋ）の回転によって、螺旋状のネジ山が回転し、４つの感光体ドラムのドラム回転軸６１（６１Ｙ，６１Ｍ，６１Ｃ，６１Ｋ）に取り付けられたウォームホイール６２（６２Ｙ，６２Ｍ，６２Ｃ，６２Ｋ）が、駆動軸７１の軸方向と直交する方向に、同時に同方向に回転する。
ここで、ウォームギヤ７２（７２Ｙ，７２Ｍ，７２Ｃ，７２Ｋ）の高精度化はもとより、ウォームギヤ７２（７２Ｙ，７２Ｍ，７２Ｃ，７２Ｋ）と噛合するヘリカルギヤすなわちウォームホイール６２（６２Ｙ，６２Ｍ，６２Ｃ，６２Ｋ）の高精度化も求められている。ウォームホイール６２（６２Ｙ，６２Ｍ，６２Ｃ，６２Ｋ）の精度を高めることにより、ウォームホイール６２（６２Ｙ，６２Ｍ，６２Ｃ，６２Ｋ）の回転ムラを抑制してモーションクオリティを向上させることが可能となる。ここにいうウォームホイール６２（６２Ｙ，６２Ｍ，６２Ｃ，６２Ｋ）の精度とは、真円度や歯形精度（例えば、歯形誤差、歯すじ誤差、歯溝のふれ、ピッチ誤差等）等をいう。ウォームホイール６２（６２Ｙ，６２Ｍ，６２Ｃ，６２Ｋ）の高精度化は、後述する製造方法（成形用金型）により低コストで実現することができる。
【００１７】
尚、この感光体ドラム駆動機構７０は、螺旋状のネジ山を有するウォームギヤ７２（７２Ｙ，７２Ｍ，７２Ｃ，７２Ｋ）とウォームホイール６２（６２Ｙ，６２Ｍ，６２Ｃ，６２Ｋ）との組み合わせによって感光体ドラムを回動させているが、感光体ドラムと接触する部材が連れ回る場合には、これらの駆動手段を兼ねている。例えば、中間転写体方式の場合には中間転写ベルトの駆動手段として機能させることができ、また、記録用紙を直接搬送する装置の場合では、記録用紙の搬送体における駆動手段としての機能を兼ねることができる。
【００１８】
次に、ウォームホイール６２（６２Ｙ，６２Ｍ，６２Ｃ，６２Ｋ）を製造する成形用金型について説明する。
図２は、ウォームホイール６２の製造に用いる成形用金型８０の構造を示す断面図であり、図３は、成形用金型８０内における溶融樹脂の流れを説明するための図である。なお、図２において後述するキャビティ８３とフィルムゲート８８とゲートランド８９を斜線で示している。
図２に示すように、成形用金型８０は、固定側型板８１と可動側型板８２とを備えている。固定側型板８１と可動側型板８２とにより成形用金型８０の内部に、成形品のための空間であるキャビティ８３が形成される。固定側型板８１と可動側型板８２との型合わせ面がパーティングライン８４である。可動側型板８２には、成形品に軸穴を形成するためのコアピン８５が設けられている。また、可動側型板８２には、ウォームホイール６２のヘリカルギヤ歯面８３ａが最外の内周面に設けられている。これによって、キャビティ８３は、ウォームホイール６２のヘリカルギヤ歯面８３ａと円柱形状の中心部に軸方向に延びる貫通穴とを有するリング形状を成形できるように形成されている。
なお、可動側型板８２を固定側型板８１に対して接離加圧するための機構や、成形品離型のためのモールドベースやエジェクターピンなどの図示を省略している。また、成形品の厚さをなるべく揃えるために、キャビティ８３には肉抜き部分８３ｃが設けられている。
【００１９】
固定側型板８１には、キャビティ８３内に注入する成形材料（溶融樹脂）を供給するためのピンゲート８７が１つ設けられている。このピンゲート８７とキャビティ８３との間における成形材料の流路に、フィルムゲート８８（絞り部）とゲートランド８９（充填領域、リングタブ）とが隣接して設けられている。フィルムゲート８８およびゲートランド８９は、固定側型板８１と可動側型板８２とコアピン８５とスライドコア８６ａ，８６ｂとにより画定されている。スライドコア８６ａ，８６ｂは、成形品の離型時に比較的大きなアンダーカット部分８３ｄを抜くために可動側型板８２の開閉に連動して固定側型板８１に対してスライドする部品であり、型開きのときにはスライドコア８６ａが図面における上方に、スライドコア８６ｂは図面における下方に移動する。なお、スライドコア８６ａ，８６ｂを駆動する手段として、油圧方式を用いてもよく、また、電動方式を用いてもよい。
【００２０】
フィルムゲート８８は、キャビティ８３内に成形材料を注入するためにキャビティ８３に開口しているもので、固定側型板８１にキャビティ８３の円周方向の全周にわたって設けられている。フィルムゲート８８では、成形材料の流路隙間Ｇ１が絞られていて、その流路隙間Ｇ１は、全周にわたって同一寸法である。
また、ゲートランド８９は、成形材料の流路におけるフィルムゲート８８の上流側（同図における右側）に位置し、フィルムゲート８８に沿って全周にわたって設けられている。ゲートランド８９は、フィルムゲート８８の流路隙間Ｇ１（以下、フィルムゲートの厚さともいう）よりも大きな流路隙間Ｇ２を有する。
【００２１】
このように構成された成形用金型８０において、成形材料はピンゲート８７（第１のゲート）からゲートランド８９およびフィルムゲート８８（第２のゲート）を経てキャビティ８３へ注入されて充填される。一般的に流路隙間が小さいと成形材料に対する流動抵抗が大きく、流路隙間が大きいと流動抵抗が小さいことから、ピンゲート８７から供給された成形材料は、まずゲートランド８９に注入されて充填された後に、フィルムゲート８８を通過して成形用金型８０内のキャビティ８３に注入される。
フィルムゲート８８を通過するときにはゲートランド８９内に成形材料が既に充填されているので、図３に示すように、フィルムゲート８８からキャビティ８３内に流れ込む成形材料は、円周方向外側に延びる複数の矢印Ａの方向すなわち概ね放射状に流動し、成形材料の流れがぶつからないようになる。このため、成形品におけるウェルドラインの発生を防止することができ、高い強度の部品を成形することができる。
【００２２】
また、ピンゲート８７を用いていることから、いわゆるゲート後処理が不要となり、また、複数個取りが可能なように成形用金型８０を構成することができるので、コストの低減を容易に実現することができる。また、フィルムゲート８８を設けていることから、円周方向に関して圧力がアンバランスな状態になることを防げるので、高精度で、高い真円度をもつ部品を成形することができる。
なお、本実施形態ではピンゲート８７を１個所に設けているが、成形材料がフィルムゲート８８を通過するときに放射状に流動させればウェルドラインの発生を防止することができることから、複数個のピンゲート８７からゲートランド８９に成形材料を供給することも考えられる。
【００２３】
ここで、フィルムゲート８８の厚さＧ１として例えば０．３ｍｍ、ゲートランド８９の厚さＧ２として例えば２ｍｍに構成することができる。また、フィルムゲート８８の長さＬ（軸方向長さ）として例えば３ｍｍに構成することができる。
【００２４】
ところで、後述するように、フィルムゲート８８の厚さＧ１として採るべき値は、成形材料によって異なることが実験によりわかった。
ポリプラスチックス株式会社製のＰＯＭ（ポリアセタール）樹脂、同社製のＰＰＳ（ポリフェニレンサルファイド）樹脂、および旭化成株式会社製のＰＡ（ポリアミド）樹脂66のそれぞれについてグレードおよびフィルムゲート８８の厚さＧ１を変えて実験した結果を表１〜表３に示す。
【００２５】
【表１】
0004622322.tif 000002
【００２６】
【表２】
0004622322.tif 000003
【００２７】
【表３】
0004622322.tif 000004
【００２８】
各表において、フィルムゲート８８を通過せずに充填できなかった場合に××、ウェルドラインが発生した場合に×、ウェルドラインが発生せずに充填できた場合に○の記号を付している。
【００２９】
表１〜表３によれば、フィルムゲート８８の厚さＧ１はナチュラル材で０．２〜０．４ｍｍ、ミネラル、ガラス繊維、ＰＴＦＥ（ポリテトラフルオロエチレン、フッ素樹脂）、ウィスカーなどを含む複合剤においては０．３〜０．５ｍｍが適し、含有量が４０％を超えるものは０．５〜０．６ｍｍが適していると言える。
【００３０】
なお、ギヤの成形材料として、上記のものの他に、ＰＢＴ（ポリブチレンテレフタレート）、ＰＣ（ポリカーボネート）を使用することもできる。また、これらの樹脂に摺動性や耐磨耗性を向上させた複合樹脂であっても良い。
【００３１】
ここで、例えば、ピンゲート８７を１つ設ける場合には、ピンゲート８７の位置関係でフィルムゲート８８におけるピンゲート８７側とその反対側とで成形材料の充填に偏り（充填時間の差）が生じ、ピンゲート８７の反対側の充填が遅れるといった事態の発生が考えられる。さらには、温度等の条件によってはその偏りが大きくなる可能性があるとも考えられる。このような偏りが大きくなると、成形材料がフィルムゲート８８から放射状にキャビティ８３内に注入されずに、キャビティ８３内で成形材料が回り込むという現象が生じ、その結果として成形品にウェルドラインが生じる可能性が高い。
したがって、成形品を製造するときには、成形材料がフィルムゲート８８を通過してからキャビティ８３内においてどのように流動するかの解析を、フィルムゲート８８の厚さＧ１、成形材料、樹脂温度、金型温度又は射出時間等を変えながら行うことも重要であると言える。
なお、ウェルドラインが成形品の内部に形成されると、その部分の強度が低下するが、ウェルドラインが表面上に形成された場合には、外見上はともかくとして強度等に大きな影響はないと考えられることから、ウェルドラインが発生する場合であってもその発生個所についてまで考慮する必要がある。
【００３２】
次に、ウォームホイール６２（６２Ｙ，６２Ｍ，６２Ｃ，６２Ｋ）の構造について説明する。
図４は、図２の成形用金型８０により成形された樹脂部品９０の形状を示す断面図であり、断面部分を斜線で示している。樹脂部品９０は、成形用金型８０のキャビティ８３（図２参照）により成形され、外周面９１ａにヘリカルギヤが形成されているリング状の本体部９１と、成形用金型８０のフィルムゲート８８により成形されたフィルムゲート部分９２と、成形用金型８０のゲートランド８９により成形されたゲートランド部分９３と、樹脂部品９０の中心部に軸方向に同径で延びる貫通穴９４と、キャビティ８３の肉抜き部分８３ｃに対応して成形された凹部９５とを有する。成形用金型８０により成形された樹脂部品９０は、フィルムゲート部分９２およびゲートランド部分９３が一体化されたもので、これによってウォームホイール６２（６２Ｙ，６２Ｍ，６２Ｃ，６２Ｋ）（図１参照）が製造される。
なお、図示はしないが、所望形状の成形用金型内に、金属製のシャフト(丸型シャフト等)を挿入し、この成形用金型に樹脂を充填して、シャフトの周囲に略円筒形状の素形部分を形成した後に、このシャフトの両端を支持し、樹脂の素形部分に切削加工による歯切り加工で、ウォームホイール６２のギヤ形状を形成するように構成することもできる。この場合に、歯切り加工の代わりに、上述した実施の形態のように、ウォームのギヤ歯面を成形用金型による成形で形成することもできる。
【００３３】
ウォームホイール６２の製造に際しては、フィルムゲート部分９２およびゲートランド部分９３を、除去せずにあえて残したままにしている。すなわち、フィルムゲート部分９２およびゲートランド部分９３を積極的に部品の一部として利用している。このような利用態様は、例えば樹脂ベアリング等の部品にも適用することができる。当然ながら、このような利用態様は、例えば隣接する部品との干渉がない等の部品の使用環境が許されることが前提となる。
【００３４】
このような利用態様により、次のような効果が考えられる。
(1)フィルムゲート部分９２およびゲートランド部分９３は、本体部９１の一端面９１ｂに円周方向の全周にわたって設けられたリブと見ることができ、本体部９１の強度向上に寄与する。
(2)フィルムゲート部分９２およびゲートランド部分９３は、本体部９１から軸方向に延在していることから、貫通穴９４に図示しないシャフトを嵌合させて部品として使用するとき等には、軸方向に関する嵌合長さを確保することができ、両者をより強固に嵌合することができる。
この場合に、フィルムゲート部分９２よりも厚さの厚いゲートランド部分９３に、例えば図示しないキー溝などの係止部を設けることにより、ウォームホイール６２と図示しないシャフトとの嵌合状態をより強固にすることが低コストかつ容易に実現できる。また、ゲートランド部分９３に図示しない位置決め部を設けると、ウォームホイール６２と図示しないシャフトとの位置決めを低コストで行うことができる。
(3)成形用金型８０の構造が複雑化するのを防ぐことができる。すなわち、金型内において成形品の一部を切断（剪断）する図示しない摺動コマを設け、成形後の一連の型開き動作で切断してしまうことが可能である（例えば、特開平９−１６４５６４号公報参照）。しかしながら、このような摺動コマを金型に設けると、金型側と摺動コマ側との間に所定のクリアランスが必要となる。金型の製造には高い精度（ミクロン単位）が求められることもあり、摺動コマを設けると金型構造が複雑化し、金型の製造コストが高くなる。これに対し、摺動コマを設けないときにはそのような制約がなく、金型構造を簡便にすることができる。
【００３５】
本実施形態のウォームホイール６２は、本体部９１の外径が例えば６０ｍｍ以下であり、貫通穴９４の内径は例えば８ｍｍ、ゲートランド部分９３の外径は例えば１５ｍｍである。
本実施形態のウォームホイール６２には、同径の貫通穴９４を設けているが、内径が異なる穴を設けて段付き穴とすることも考えられる。また、本実施形態では、中心軸に貫通穴９４を設けたウォームホイール６２について説明したが、本発明はこれに限られず、中心穴を有しない部品についても適用することができる。すなわち、本発明は、外形が略円形状の断面を有する部品であれば適用することができる。
【００３６】
図４に示すフィルムゲート部分９２およびゲートランド部分９３を樹脂部品９０の本体部９１に残したままでは部品の使用環境が許されない場合等には、成形後に本体部９１からフィルムゲート部分９２およびゲートランド部分９３を除去した状態に加工する。
【図面の簡単な説明】
【００３７】
【図１】本実施の形態が適用される感光体ドラム駆動機構を説明するための図である。
【図２】ウォームホイールの製造に用いる成形用金型の構造を示す断面図である。
【図３】成形用金型内における溶融樹脂の流れを説明するための図である。
【図４】成形用金型により成形された樹脂部品の形状を示す断面図である。
【符号の説明】
【００３８】
７２（７２Ｙ，７２Ｍ，７２Ｃ，７２Ｋ）…ウォームギヤ、８０…成形用金型、８１…固定側型板、８２…可動側型板、８３…キャビティ、８３ａ…ヘリカルギヤ歯面、８３ｂ…貫通穴、８３ｃ…肉抜き部分、８５…コアピン、８６ａ，８６ｂ…スライドコア、８７…ピンゲート、８８…フィルムゲート、８９…ゲートランド、９０…樹脂部品、９１…本体部、９２…フィルムゲート部分、９３…ゲートランド部分、９４…貫通穴
【図１】
0004622322.tif 000005
【図２】
0004622322.tif 000006
【図３】
0004622322.tif 000007
【図４】
0004622322.tif 000008